(57)【要約】  本開示は、送受信機、受信チャネル、送信チャネルの補正方法及び装置、信号送受信システム、記憶媒体並びに電子装置を提供する。当該送受信機は、電力分配モジュールと、それぞれ送受信共通減衰モジュールと、送受信共通移相モジュールと、送受信フロントエンド処理モジュールとを含む２つ以上の信号送受信処理機器とを含み、当該送受信共通減衰モジュールは電力分配モジュールに接続され、当該送受信共通減衰信号は、受信した、又は送信される信号に対して減衰処理を行うために用いられ、当該送受信共通移相モジュールは送受信共通減衰モジュールに接続され、当該送受信共通移相モジュールは、受信した、又は送信される信号の位相を調整するために用いられ、当該送受信フロントエンド処理モジュールは、一端が送受信共通移相モジュールに接続され、他端が信号を送受信するためのアンテナに接続するように構成される。本開示により、従来におけるチャネル補正部分のリンクが複雑で、占用面積が大きいという課題を解決する。
2021519017.tif 000002
【特許請求の範囲】
【請求項１】
電力分配モジュールと、それぞれ送受信共通減衰モジュールと、送受信共通移相モジュールと、送受信フロントエンド処理モジュールとを含む２つ以上の信号送受信処理機器と、を含む送受信機において、
前記送受信共通減衰モジュールは前記電力分配モジュールに接続され、前記送受信減衰信号は、受信した、又は送信される信号に対して減衰処理を行うために用いられ、
前記送受信共通移相モジュールは前記送受信共通減衰モジュールに接続され、前記送受信共通移相モジュールは、受信した、又は送信される前記信号の位相を調整するために用いられ、
前記送受信フロントエンド処理モジュールは、一端が前記送受信共通移相モジュールに接続され、他端が前記信号を送受信するためのアンテナに接続されるように構成される、送受信機。
【請求項２】
受信中間周波数処理、フィルタリング及び周波数変換モジュールと、送信中間周波数処理、フィルタリング及び周波数変換モジュールと、局部発振モジュールと、送受信切り替えスイッチと、送受信共通フィルタリングモジュールと、をさらに含み、
前記受信中間周波数処理、フィルタリング及び周波数変換モジュールは、ベースバンド処理モジュールに接続するように構成され、
前記送信中間周波数処理、フィルタリング及び周波数変換モジュールは、前記ベースバンド処理モジュールに接続するように構成され、
前記局部発振モジュールは、前記受信中間周波数処理、フィルタリング及び周波数変換モジュール、及び前記送信中間周波数処理、フィルタリング及び周波数変換モジュールに接続され、
前記送受信切り替えスイッチは、前記受信中間周波数処理、フィルタリング及び周波数変換モジュール、及び前記送信中間周波数処理、フィルタリング及び周波数変換モジュールに接続され、
前記送受信共通フィルタリングモジュールは、一端が前記送受信切り替えスイッチに接続され、他端が前記電力分配モジュールに接続される、請求項１に記載の送受信機。
【請求項３】
前記受信中間周波数処理、フィルタリング及び周波数変換モジュールは、受信中間周波数ゲイン調整モジュールと、受信ダウンコンバーターと、受信フィルタモジュールと、受信復調器と、を含み、
前記受信中間周波数ゲイン調整モジュールは、前記ベースバンド処理モジュールに接続されるように構成され、
前記受信ダウンコンバーターは、前記受信中間周波数ゲイン調整モジュールに接続され、受信した前記信号に対して高中間周波数ＨＩＦから低中間周波数ＬＩＦへの周波数変換を行うために用いられ、
前記受信フィルタモジュールは前記受信ダウンコンバーターに接続され、
前記受信復調器は前記受信フィルタモジュールに接続される、請求項２に記載の送受信機。
【請求項４】
前記送信中間周波数処理、フィルタリング及び周波数変換モジュールは、発射中間周波数ゲイン調整モジュールと、発射復調器モジュールと、発射フィルタモジュールと、発射アップコンバーターと、を含み、
前記発射中間周波数ゲイン調整モジュールは、ベースバンド処理モジュールに接続するように構成され、
前記発射復調モジュールは、前記発射中間周波数ゲイン調整モジュールに接続され、送信される前記信号に対して低中間周波数ＬＩＦから高中間周波数ＨＩＦへの周波数変換を行うために用いられ、
前記発射フィルタモジュールは前記発射復調モジュールに接続され、
前記発射アップコンバーターは前記発射フィルタモジュールに接続される、請求項２に記載の送受信機
【請求項５】
請求項１から請求項４のいずれか１項に記載の送受信機に適用される受信チャネルの補正方法において、
１つの前記信号送受信機器における信号発射機器の減衰量を０にし、残りの信号送受信機器における信号発射機器の減衰量をサポート可能な最大値にするステップと、
１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するステップと、
各信号受信機器が受信する信号の位相値と他の信号受信機器が受信する信号の位相値との位相差をそれぞれ特定し、前記位相差を各信号送受信機器に対応する前記送受信共通移相モジュールにそれぞれ補償するステップと、を含む、受信チャネルの補正方法。
【請求項６】
１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するステップは、
１つの前記信号送受信機器における信号発射機器による信号発射を制御するステップと、
すべての前記信号送受信機器における信号受信機器の受信した信号の位相値を取得するまで、
１つの前記信号送受信機器における信号受信機器のフロントエンド処理モジュールの減衰量を０にして信号を受信し、受信した信号の位相値を記録するステップと、
１つの前記信号送受信機器における信号受信機器のフロントエンド処理モジュールの減衰量をサポート可能な最大値にし、１つの前記信号送受信機器以外の別の１つの信号送受信機器における信号受信機器のフロントエンド処理モジュールの減衰量を０にして信号を受信し、受信した信号の位相値を記録するステップを繰り返して実行するステップと、を含む、請求項５に記載の受信チャネルの補正方法。
【請求項７】
請求項１から請求項４のいずれか１項に記載の送受信機に適用される発射チャネルの補正方法において、
１つの前記信号送受信機器における信号受信機器の減衰量を０にし、残りの信号送受信機器における信号受信機器の減衰量をサポート可能な最大値にするステップと、
各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するステップと、
１つの前記信号送受信機器における信号受信機器が１回受信する信号の位相値と他の回に受信する信号の位相値との位相差をそれぞれ特定し、特定した位相差を各信号送受信機器に対応する前記送受信共通移相モジュールに対応して補償するステップと、を含む、発射チャネルの補正方法。
【請求項８】
各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するステップは、
１つの前記信号送受信機器における信号発射機器のフロントエンド処理モジュールの減衰量を０にして信号を発射するステップと、
１つの前記信号送受信機器における信号受信機器がそれぞれ受信したすべての信号の位相値を取得するまで、
１つの前記信号送受信機器における信号受信機器による信号受信を制御し、受信した信号の位相値を記録するステップと、
１つの前記信号送受信機器における信号発射機器のフロントエンド処理モジュールの減衰量をサポート可能な最大値にし、１つの前記信号送受信機器以外の別の１つの信号送受信機器における信号発射機器のフロントエンド処理モジュールの減衰量を０にして信号を発射し、１つの前記信号送受信機器における信号受信機器による信号受信を制御し、受信した信号の位相値を記録するステップを繰り返して実行するステップと、を含む、請求項７に記載の発射チャネルの補正方法。
【請求項９】
請求項１から請求項４のいずれか１項に記載の送受信機に適用される受信チャネルの補正装置において、
１つの前記信号送受信機器における信号発射機器の減衰量を０にし、残りの信号送受信機器における信号発射機器の減衰量をサポート可能な最大値にするように構成される第１設置モジュールと、
１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するように構成される第１取得モジュールと、
各信号受信機器が受信する信号の位相値と他の信号受信機器が受信する信号の位相値との位相差をそれぞれ特定し、前記位相差を各信号送受信機器に対応する前記送受信共通移相モジュールにそれぞれ補償するように構成される第１処理モジュールと、を含む、受信チャネルの補正装置。
【請求項１０】
請求項１から請求項４のいずれか１項に記載の送受信機に適用される発射チャネルの補正装置において、
１つの前記信号送受信機器における信号受信機器の減衰量を０にし、残りの信号送受信機器における信号受信機器の減衰量をサポート可能な最大値にするように構成される第２設置モジュールと、
各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するように構成される第２取得モジュールと、
１つの前記信号送受信機器における信号受信機器が１回受信する信号の位相値と他の回に受信する信号の位相値との位相差をそれぞれ特定し、特定した位相差を各信号送受信機器に対応する前記送受信共通移相モジュールに対応して補償するように構成される第２処理モジュールと、を含む、発射チャネルの補正装置。
【請求項１１】
信号送受信システムであって、
前記アンテナと、
前記アンテナに接続される、請求項１から請求項４のいずれか１項に記載の１つ又は複数の送受信機と、を含む、信号送受信システム。
【請求項１２】
前記１つ又は複数の送受信機に接続されるベースバンド処理モジュールをさらに含む、請求項１１に記載の信号送受信システム。
【請求項１３】
記憶されるプログラムを含む記憶媒体であって、
前記プログラムは、実行されると請求項５から請求項８のいずれか１項に記載の方法を実行する記憶媒体。
【請求項１４】
メモリと、プロセッサと、前記メモリに記憶され前記プロセッサで実行可能なコンピュータプログラムとを含む電子装置であって、
前記プロセッサは、前記コンピュータプログラムにより、請求項５から請求項８のいずれか１項に記載の方法を実行する電子装置。
【発明の詳細な説明】
【技術分野】
【０００１】
本開示は、通信分野に関し、具体的には、送受信機、受信チャネル、送信チャネルの補正方法及び装置、信号送受信システム、記憶媒体並びに電子装置に関する。
【背景技術】
【０００２】
第５世代移動通信技術（ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ、５Ｇと略称する）は、大容量のニーズに対応して提供されるものとして、複数の新たな技術を含み、そのうち、ミリ波、ビームフォーミングｂｅａｍ  ｆｏｒｍｉｎｇ、マッシブマイモＭａｓｓｉｖｅ  ＭＩＭＯは５Ｇの重要な技術である。これらの技術基地局のハードウェアリンクの実現には、デジタルｂｅａｍ  ｆｏｒｍｉｎｇ、アナログｂｅａｍ  ｆｏｒｍｉｎｇ及びデジタルとアナログのハイブリッドｂｅａｍ  ｆｏｒｍｉｎｇなど、複数の実現方式があり、実現コスト、面積及びトラフィックの増加を考慮すると、ハイブリッドｂｅａｍ  ｆｏｒｍｉｎｇが５Ｇ基地局（例えば、５Ｇミリ波基地局が挙げられ、以下、信号がミリ波信号であることを例として説明する）に適用する解決手段である。
【０００３】
ハイブリッドｂｅａｍ  ｆｏｒｍｉｎｇとは、デジタルチャネルにＭａｓｓｉｖｅ  ＭＩＭＯとして用いられるチャネルが複数あり、そのうち、各デジタルチャネルは、周波数変換後のミリ波周波数帯域で、それぞれ、アンテナユニットの振幅と位相を調整するための振幅変調と位相変調の機能を有する複数のチャネルに分配され、マルチアンテナの合成ビームを形成する基本構成である。
【０００４】
従来のハイブリッドｂｅａｍ  ｆｏｒｍｉｎｇの実現態様として、集積アンテナ技術である送受信機は、図１ａに示すとおりである。従来のミリ波送受信機には、以下の問題が存在する。
【０００５】
従来の解決手段の送受信機補正手段は、ＰＡのカップリング測定部分電力を補正することで、ＰＡ部分リンクが非常に複雑になり、かつ、占用面積が大きく、アンテナの小さいサイズに全然一致しないため、ＰＣＢ面積が大きく、かつ、配置難易度が大きいことになる。
【０００６】
従来技術に存在する上記問題について、未だに効果的な解決手段がまだ提供されていない。
【発明の概要】
【発明が解決しようとする課題】
【０００７】
本開示の実施例は、少なくとも従来におけるチャネル補正部分のリンクが複雑で、占用面積が大きいという課題を解決する、送受信機、受信チャネル、送信チャネルの補正方法及び装置、信号送受信システム、記憶媒体並びに電子装置を提供する。
【課題を解決するための手段】
【０００８】
本開示の一実施例による送受信機は、電力分配モジュールと、それぞれ送受信共通減衰モジュールと、送受信共通移相モジュールと、送受信フロントエンド処理モジュールとを含む２つ以上の信号送受信処理機器とを含み、ただし、前記送受信共通減衰モジュールは前記電力分配モジュールに接続され、前記送受信共通減衰信号は、受信した、又は送信される信号に対して減衰処理を行うために用いられ、前記送受信共通移相モジュールは前記送受信共通減衰モジュールに接続され、前記送受信共通移相モジュールは、受信した、又は送信される前記信号の位相を調整するために用いられ、前記送受信フロントエンド処理モジュールは、一端が前記送受信共通移相モジュールに接続され、他端が前記信号を送受信するためのアンテナに接続されるように構成される。
【０００９】
本開示の別の実施例による受信チャネルの補正方法は、上述したいずれかの実施例に記載の送受信機に適用されるものであり、１つの前記信号送受信機器における信号発射機器の減衰量を０にし、残りの信号送受信機器における信号発射機器の減衰量をサポート可能な最大値にすることと、１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得することと、各信号受信機器が受信する信号の位相値と他の信号受信機器が受信する信号の位相値との位相差をそれぞれ特定し、前記位相差を各信号送受信機器に対応する前記送受信共通移相モジュールにそれぞれ補償することと、を含む。
【００１０】
本開示の別の実施例による発射チャネルの補正方法は、上述したいずれかの実施例に記載の送受信機に適用されるものであり、１つの前記信号送受信機器における信号受信機器の減衰量を０にし、残りの信号送受信機器における信号受信機器の減衰量をサポート可能な最大値にすることと、各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得することと、１つの前記信号送受信機器における信号受信機器が１回受信する信号の位相値と他の回に受信する信号の位相値との位相差をそれぞれ特定し、特定した位相差を各信号送受信機器に対応する前記送受信共通移相モジュールに対応して補償することと、を含む。
【００１１】
本開示の別の実施例による受信チャネルの補正装置は、上述したいずれかの実施例に記載の送受信機に適用されるものであり、１つの前記信号送受信機器における信号発射機器の減衰量を０にし、残りの信号送受信機器における信号発射機器の減衰量をサポート可能な最大値にするように構成される第１設置モジュールと、１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するように構成される第１取得モジュールと、各信号受信機器が受信する信号の位相値と他の信号受信機器が受信する信号の位相値との位相差をそれぞれ特定し、前記位相差を各信号送受信機器に対応する前記送受信共通移相モジュールにそれぞれ補償するように構成される第１処理モジュールと、を含む。
【００１２】
本開示の別の実施例による発射チャネルの補正装置は、上述したいずれかの実施例に記載の送受信機に適用されるものであり、１つの前記信号送受信機器における信号受信機器の減衰量を０にし、残りの信号送受信機器における信号受信機器の減衰量をサポート可能な最大値にするように構成される第２設置モジュールと、各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するように構成される第２取得モジュールと、１つの前記信号送受信機器における信号受信機器が１回受信する信号の位相値と他の回に受信する信号の位相値との位相差をそれぞれ特定し、特定した位相差を各信号送受信機器に対応する前記送受信共通移相モジュールに対応して補償するように構成される第２処理モジュールと、を含む。
【００１３】
本開示の別の実施例による信号送受信システムは、前記アンテナと、前記アンテナに接続される１つ又は複数の上述したいずれかの実施例に記載の送受信機と、を含む。
【００１４】
本開示の別の実施例による記憶媒体は、記憶するプログラムを含み、前記プログラムは実行されると上述したいずれかの実施例に記載の方法を実行する。
【００１５】
本開示の別の実施例による電子装置は、メモリと、プロセッサと、前記メモリに記憶され前記プロセッサで実行可能なコンピュータプログラムとを含み、前記プロセッサは、前記コンピュータプログラムにより、上述したいずれかの実施例に記載の方法を実行する。
【発明の効果】
【００１６】
本開示により、送受信機において送受信共通減衰モジュール及び送受信共通移相モジュールが追加され、また、信号を補正する際、フィードバックチャネルを追加して補正する必要がなくなり、すなわち、従来の複雑な補正構造を用いる必要がなくなり、追加された送受信共通減衰モジュール及び送受信共通移相モジュールを用いれば実現できることで、ＰＡ部分リンクの複雑さを効果的に低減し、補正機器に占用されるＰＣＢの面積を下げ、これにより、従来におけるチャネル補正部分リンクが複雑で、占用する面積が大きいという課題を解決する。
【図面の簡単な説明】
【００１７】
ここで説明される図面は、本開示をさらに理解し、本願の一部を構成するために提供され、本開示の例示的な実施例及びその説明は、本開示を解釈するためのものとして、本開示を限定するものではない。図面において、
【図１ａ】従来技術における集積アンテナ技術の送受信機の模式図である。
【図１ｂ】ＩＦ＝２．２５ＧＨｚの場合における鏡像位置の模式図である。
【図２】本開示の実施例による送受信機の構造ブロック図である。
【図３】本開示の実施例による送受信フロントエンド処理モジュールの構造ブロック図である。
【図４】本開示の実施例による送受信機全体の構造模式図である。
【図５】本開示の実施例による受信中間周波数処理、フィルタリング及び周波数変換モジュールの構造ブロック図である。
【図６】本開示の実施例による発射中間周波数処理、フィルタリング及び周波数変換モジュールの構造ブロック図である。
【図７】本開示の実施例による受信チャネルの補正方法のフローチャートである。
【図８】本開示の実施例による受信チャネルの具体的な補正フローチャートである。
【図９】本開示の実施例によるアンテナの模式図である。
【図１０】本開示の実施例による発射チャネルの補正方法のフローチャートである。
【図１１】本開示の実施例による発射チャネルの複数位相同期補正のフローチャートである。
【図１２】本開示の実施例による信号発射のフローチャートである。
【図１３】本開示の実施例による信号受信のフローチャートである。
【図１４】本開示の実施例による４＊４アレイ単一偏波の実現態様の模式図である。
【図１５】本開示の実施例による４＊４アレイ単一偏波の実現態様における発射信号処理のフローチャートである。
【図１６】本開示の実施例による４＊４アレイ単一偏波の実現態様における受信信号処理のフローチャートである。
【図１７】本開示の実施例による４＊４アレイ単一偏波の実現態様における発射位相補正のフローチャートである。
【図１８】本開示の実施例による４＊４アレイ単一偏波の実現態様における受信位相補正のフローチャートである。
【図１９】本開示の実施例による４＊４アレイ二重偏波の実現態様の模式図である。
【図２０】本開示の実施例による４＊４アレイ二重偏波の実現態様における発射位相補正のフローチャートである。
【図２１】本開示の実施例による４＊８アレイ二重偏波の実現態様におけるビームフォーミングの模式図である。
【図２２】本開示の実施例による４＊８アレイ二重偏波の実現態様における位相補正のフローチャートである。
【図２３】本開示の実施例による４＊８アレイ二重偏波の実現態様における大電力出力の模式図である。
【図２４】本開示の実施例による４＊４アレイ二重偏波の大電力出力のフローチャートである。
【図２５】本開示の実施例による受信チャネルの補正装置の構造ブロック図である。
【図２６】本開示の実施例による発射チャネルの補正装置の構造ブロック図である。
【発明を実施するための形態】
【００１８】
以下、図面及び実施例を参照しながら、本開示について詳細に説明する。なお、矛盾しない限り、本願における実施例及び実施例における特徴は互いに組み合わせることができる。
【００１９】
なお、本開示の明細書、特許請求の範囲及び上記図面における用語「第１」、「第２」などは、類似の対象を区別するためのものであり、特定の順序又は優先順位を説明するものではなく、本実施例では、「発射」と「送信」は意味が同じである。
【００２０】
（実施例１）
本開示の一実施例による送受信機は、電力分配モジュールと、それぞれ送受信共通減衰モジュールと、送受信共通移相モジュールと、送受信フロントエンド処理モジュールとを含む２つ以上の信号送受信処理機器とを含み、当該送受信共通減衰モジュールは電力分配モジュールに接続され、当該送受信共通信号は、受信した、又は送信される信号に対して減衰処理を行うために用いられ、当該送受信共通移相モジュールは送受信共通減衰モジュールに接続され、当該送受信共通移相モジュールは、受信した、又は送信される信号の位相を調整するように構成され、当該送受信フロントエンド処理モジュールは、一端が送受信共通移相モジュールに接続され、他端が、信号を送受信するように構成されるアンテナに接続するように構成され、具体的には、図２を参照する。
【００２１】
ただし、上記電力分配モジュールは、ｂｅａｍ  ｆｏｒｍｉｎｇの模擬を実現するために、従来技術における電力分配モジュールを用いて、受信又は発射する信号を複数の信号に分配するものとしてもよい。
【００２２】
上記送受信共通減衰モジュールでは、減衰を大きいステップ幅の減衰とし、減衰量をアンテナアレイ間のアイソレーションより大きくすることで、ｂｅａｍ  ｆｏｒｍｉｎｇの指標要件、及び複数の送受信フロントエンド処理モジュール間の位相補正要件を満たすとともに、大信号受信のブロッキング時にゲイン減衰を行ってデバイス保護を行うことを実現する。
【００２３】
上記送受信共通移相モジュールでは、ｂｅａｍ  ｆｏｒｍｉｎｇに要求される位相調整が実現されるとともに、同じチップ、又は異なるチップの複数のチャネル同士の位相誤差を補償するために用いられ、したがって、ここで位相調整のステップ幅は、具体的に実現するアレイアンテナ合成ビーム指標に基づいて特定する必要があり、ここで、送受信の相互性を実現するために、移相器はパッシブ構造を用いなければならない。
【００２４】
上記送受信フロントエンド処理モジュールは、従来技術における送受信フロントエンド処理モジュールを用いてもよく、当該モジュールの具体的な構造は図３に示すとおりであり、アンテナが受信する信号（例えば、ミリ波信号）に対して低雑音増幅を行い、受信アンテナのｂｅａｍ  ｆｏｒｍｉｎｇに必要なゲイン調整を実現するとともに、発射する信号（例えば、ミリ波信号）の電力増幅を実現し、発射アンテナのｂｅａｍ  ｆｏｒｍｉｎｇに必要なゲイン調整を実現するために用いられる。
【００２５】
ただし、図３に示すように、当該送受信フロントエンド処理モジュールは、第１送受信切り替えスイッチと、受信ミリ波ゲイン調整モジュールと、受信低雑音増幅器モジュールと、第２送受信切り替えスイッチと、発射ミリ波ゲイン調整モジュールと、発射電力増幅器との各モジュールからなる。
【００２６】
第１送受信切り替えスイッチは、ミリ波周波数帯域の送受信の時分割での切り替えを実現するように構成される。受信ミリ波ゲイン調整モジュールは、ｂｅａｍ  ｆｏｒｍｉｎｇに要求される受信ゲイン調整を実現するとともに、同じチップ又は異なるチップの複数のチャネル同士の受信ゲイン誤差を補償するように構成される。受信低雑音増幅器モジュールは、受信信号の低雑音な増幅を実現するように構成される。第２送受信切り替えスイッチは、ミリ波周波数帯域の送受信の時分割での切り替えを実現するように構成され、第１送受信切り替えスイッチと第２送受信切り替えスイッチは同時に切り替えることで、時分割送受信が実現され、１つの制御線を共用することができる。発射ミリ波ゲイン調整モジュールは、ｂｅａｍ  ｆｏｒｍｉｎｇに要求される発射ゲイン調整を実現するとともに、同じチップ又は異なるチップの複数のチャネル同士の発射ゲイン誤差を補償するように構成される。発射電力増幅器は、アンテナの電力要件まで増幅することでシステム要件を満たすように、信号の増幅を実現する。
【００２７】
上記実施例に係るアンテナは、送受信フロントエンド処理モジュールに接続されてもよく、当該アンテナは、アレイアンテナモジュールで、信号（例えば、ミリ波信号）を受信及び送信するように構成されるものとしてもよい。
【００２８】
上記実施例により、送受信機において送受信共通減衰モジュール及び送受信共通移相モジュールが追加され、また、信号を補正する際、フィードバックチャネルを追加して補正する必要がなくなり、すなわち、従来の複雑な補正構造を用いる必要がなくなり、追加された送受信共通減衰モジュール及び送受信共通移相モジュールを用いれば実現でき、ＰＡ部分リンクの複雑さを効果的に低減し、補正機器に占用されるＰＣＢの面積を下げ、これにより、従来におけるチャネル補正部分リンクが複雑で、占用する面積が大きいという課題を解決する。
【００２９】
なお、従来の送受信機では、送受信移相器は、アクティブ変調器の方式により実現され、相互性が実現できないため、受信及び送信チャネル上に移相器をそれぞれ置かなければならないことで、ＰＣＢ面積が大きくなるが、本開示の実施例では、送受信共通移相器の構造が用いられることにより、受信及び送信チャネル上に移相器をそれぞれ置く必要がなく、占用面積を効果的に小さくする。
【００３０】
好ましい実施例では、上記送受信機は、受信中間周波数処理と、フィルタリング及び周波数変換モジュールと、送信中間周波数処理と、フィルタリング及び周波数変換モジュールと、局部発振モジュールと、送受信切り替えスイッチと、送受信共通フィルタリングモジュールとをさらに含み、ただし、当該受信中間周波数処理、フィルタリング及び周波数変換モジュールは、ベースバンド処理モジュールに接続するように構成され、当該送信中間周波数処理、フィルタリング及び周波数変換モジュールは、ベースバンド処理モジュールに接続するように構成され、上記局部発振モジュールは、受信中間周波数処理、フィルタリング及び周波数変換モジュールと、送信中間周波数処理、フィルタリング及び周波数変換モジュールに接続され、上記送受信切り替えスイッチは、受信中間周波数処理、フィルタリング及び周波数変換モジュールと、送信中間周波数処理、フィルタリング及び周波数変換モジュールに接続され、上記送受信共通フィルタリングモジュールは、一端が送受信切り替えスイッチに接続され、他端が電力分配モジュールに接続される。
【００３１】
なお、従来の送受信機では、無線周波数サンプリングデバイスＲＦＡＤＣのサンプリングレートは最大３ＧＨｚであり、その出力の中間周波数があまり高いものを選択してはならず、２．２５ＧＨｚしか選択できない。したがって、従来の解決手段では、高周波数信号を２．２５ＧＨｚ周波数帯域に周波数変換する。高周波数の帯域幅が１ＧＨｚ程度であるため、鏡像(イメージ)信号が主信号に近すぎるようになり、図１ｂに示すように、鏡像エッジは希望信号から２．５ＧＨｚ離れ、２８ＧＨｚに対しては１０％いか相対的に離れていないため、フィルタリングが実現しにくく、かつ、体積が大きく、エアポートの妨害耐性が保証できないことになる。
【００３２】
現在の解決手段は、多段フィルタのカスケード接続を用いて実現されることで、ゲイン損失が大きく、その場合、増幅器を追加することによりリンクのゲインを補う必要があるため、全体の体積が大きくなり、フィルタのカスケード接続後の平坦性が非常に悪くなり、全体のＥＶＭ指標が悪くなる。本開示の実施例では、受信中間周波数処理、フィルタリング及び周波数変換モジュール、並びに、送信中間周波数処理、フィルタリング及び周波数変換モジュールは、いずれも二重変換構造を用い、かつ、フィルタリングモジュールの実現難易度を低減するために、いずれも復調器を用いて実現される。以下、これについて説明する。
【００３３】
上記実施例では、受信中間周波数処理、フィルタリング及び周波数変換モジュールは、受信した信号（例えば、ミリ波信号）を中間周波数信号に変換するゲイン処理を実現するように構成される。このゲイン処理は、ゲイン増幅及び減衰、中間周波数信号のフィルタリング、並びに周波数変換を含む。上記送信中間周波数処理、フィルタリング及び周波数変換モジュールは、中間周波数信号からミリ波信号（本開示において、ミリ波信号を例として説明し、詳細な説明は省略する）へのゲイン処理を実現するように構成される。このゲイン処理は、ゲイン増幅及び減衰、中間周波数信号のフィルタリング、並びに周波数変換を含む。上記局部発振モジュールは、受信中間周波数処理、フィルタリング及び周波数変換モジュール、送信中間周波数処理、フィルタリング及び周波数変換モジュールの内部の周波数変換部分に局部発振信号を提供するように構成される。上記送受信切り替えスイッチは、送受信の時分割での切り替えを実現するように構成される。
【００３４】
上記送受信共通フィルタリングモジュールは、発射ミリ波の周波数変換後のブロッキングとフィルタリング、特に鏡像スプリアスを実現するとともに、アンテナポートの受信した干渉信号に対するフィルタリングを実現する、受信及び発射に共通するミリ波フィルタとして構成される。本実施例における各モジュールと前述した各モジュール（すなわち、電力分配モジュール及び２つ以上の信号送受信処理機器）との間の接続関係は、具体的に図４に示すとおりである。
【００３５】
好ましい実施例では、上記受信中間周波数処理、フィルタリング及び周波数変換モジュールは、受信中間周波数ゲイン調整モジュールと、受信ダウンコンバーターと、受信フィルタモジュールと、受信復調器とを含み、上記受信中間周波数ゲイン調整モジュールは、前記ベースバンド処理モジュールに接続されるように構成され、上記受信ダウンコンバーターは受信中間周波数ゲイン調整モジュールに接続され、受信した信号に対して中間高周波数ＨＩＦから中間低周波数ＬＩＦへの変換を行うように構成され（局部発振は、チップを介して外部から提供されてもよい）、上記受信フィルタモジュールは受信ダウンコンバーターに接続され、上記受信復調器は受信フィルタモジュールに接続される。
【００３６】
本実施例では、受信中間周波数ゲイン調整モジュール、受信フィルタモジュール及び受信復調器は、従来の受信中間周波数処理、フィルタリング及び周波数変換モジュールが含む各モジュールを用いてもよい。ここで、受信中間周波数ゲイン調整モジュールは、受信したミリ波信号のＬＩＦ（中間低周波数）への周波数変換のゲイン増幅又は減衰を実現し、複数のデバイスによってより大きいアレイアンテナを構成すれば、当該モジュールを用いて異なるデバイスとチャネルとの間のゲイン誤差を調整するように構成されるとともに、受信リンクゲインの動的調整を実現するために用いられる。
【００３７】
受信フィルタモジュールは、アンテナの受信した干渉信号又は内部周波数変換によるスプリアスフィルタリングを実現するように構成される。受信復調器は、ミリ波周波数帯域からＨＩＦ（高中間周波数）周波数帯域への周波数変換を実現するように構成され、当該モジュールは復調器として実現され、鏡像の抑制能力を上げることができる。
【００３８】
本実施例における各モジュールの接続関係は図５に示すとおりである。
【００３９】
好ましい実施例では、上記送信中間周波数処理、フィルタリング及び周波数変換モジュールは、発射中間周波数ゲイン調整モジュールと、発射復調器モジュールと、発射フィルタモジュールと、発射アップコンバーターとを含む。ここで、上記発射中間周波数ゲイン調整モジュールは、ベースバンド処理モジュールに接続するように構成され、上記発射復調モジュールは、発射中間周波数ゲイン調整モジュールに接続され、送信対象の前記信号に対して低中間周波数ＬＩＦから高中間周波数ＨＩＦへの周波数変換を行うように構成され、当該モジュールは復調器として実現され、鏡像の抑制能力を上げることができ、上記発射フィルタモジュールは発射復調モジュールに接続され、上記発射アップコンバーターは発射フィルタモジュールに接続される。
【００４０】
本実施例では、発射中間周波数ゲイン調整モジュール、発射フィルタモジュール及び発射アップコンバーターは、従来の送信中間周波数処理、フィルタリング及び周波数変換モジュールに含まれる各モジュールを用いることができる。ここで、発射中間周波数ゲイン調整モジュールは、ＬＩＦ（低中間周波数）信号のゲイン増幅又は減衰を実現し、複数の送受信機によってより大きいアレイを構成すれば、当該モジュールを用いて異なるデバイスとチャネルとの間のゲイン誤差を調整するように構成されるとともに、発射リンク増幅の動的な調整を実現するために用いられる。発射フィルタリングモジュールは、ＬＩＦ（低中間周波数）からＨＩＦ（高中間周波数）への周波数変換後に発生するスプリアスフィルタリングを実現するように構成される。発射アップコンバーターは、ＨＩＦ（高中間周波数）からミリ波周波数帯域への変換を実現するように構成される。本実施例におけるモジュールの接続関係は図６に示すとおりである。
【００４１】
なお、上記実施例における送受信機は、アンテナ偏波の方式を限定するものではなく、単一偏波を用いてもよく、また、送受信機の数を１倍増加させた後、二重偏波アンテナをサポートすることができる。
【００４２】
マルチアンテナによるフォーミングの要求により、複数のチャネル同士の位相は一致しなければならない。本開示の実施例にて複数のチャネル同士の位相一致性の補正方法が提供される。従来の補正方法は、アンテナポートでハードウェアカップリングチャネルを追加することにより補正を行うが、本開示の実施例における補正方法は、アンテナを用いて自己送信自己受信を行い、本開示の実施例による送受信機の送受信共通減衰器の利用により、他のチャネルからの干渉を引き込まずに単一チャネルの送受信を実現できるため、ハードウェアチャネルを追加する必要がなくなる。
【００４３】
（実施例２）
本実施例は主に受信チャネルの補正方法について説明する。
【００４４】
本実施例では、実施例１に記載の送受信機に適用できる受信チャネルの補正方法が提供される。図７は本開示の実施例による受信チャネルの補正方法のフローチャートであり、図７に示すように、
１つの信号送受信機器における信号発射機器の減衰量を０にし、残りの信号送受信機器における信号発射機器の減衰量をサポート可能な最大値にするステップＳ７０２と、
１つの信号送受信機器における信号発射機器による信号発射を制御し、かつ、各前記信号送受信機器における信号受信機器による信号受信をそれぞれ制御することにより、各信号送受信機器における信号受信機器の受信した信号の位相値を取得するステップＳ７０４と、
各信号受信機器の受信した信号の位相値と他の信号受信機器の受信した信号の位相値との位相差をそれぞれ特定し、当該位相差を各信号送受信機器に対応する送受信共通移相モジュール内に補償するステップＳ７０６と、を含む。
【００４５】
ただし、上記ステップは送受信機で実現されるものとしてもよい。
【００４６】
上記ステップにより、送受信機における信号送受信機器の減衰量を制御することで、各受信機器の受信した信号の位相値、及び各信号受信機器と他の信号受信機器との受信した信号の位相値の位相差をそれぞれ取得することができ、これにより、受信機器の位相を補償し、さらに、受信チャネルの補正を実現する。本実施例における方法を用いれば、フィードバックチャネルを追加して補正する必要がなくなり、すなわち、従来の複雑な補正構造を用いる必要がなくなり、ＰＡ部分リンクの複雑さを効果的に低減し、補正機器に占用されるＰＣＢの面積を下げ、これにより、従来技術に存在する、チャネル補正部分リンクが複雑で、占用する面積が大きいという問題を解決する。
【００４７】
好ましい実施例では、１つの信号送受信機器における信号発射機器による信号発射を制御し、かつ、各信号送受信機器における信号受信機器による信号受信をそれぞれ制御することにより、各信号送受信機器における信号受信機器の受信した信号の位相値を取得することは、１つの信号送受信機器における信号発射機器による信号発射を制御することと、すべての信号送受信機器における信号受信機器の受信した信号の位相値を取得するまで、１つの信号送受信機器における信号受信機器のフロントエンド処理モジュールの減衰量を０にして信号を受信し、受信した信号の位相値を記録することと、１つの信号送受信機器における信号受信機器のフロントエンド処理モジュールの減水量をサポート可能な最大値にし、この１つの信号送受信機器以外の別の１つの信号送受信機器における信号受信機器のフロントエンド処理モジュールの減衰量を０にして信号を受信し、受信した信号の位相値を記録するステップを繰り返して実行することとを含む。
【００４８】
以下、１つの実施例を用いて、受信チャネルの補正フロー全体について説明する。
【００４９】
本実施例では、受信チャネルの補正フローは、図８に示すように、
発射機（上記信号送信機器に対応する）の１パス（第１パスにする）のゲインを最大値にし、他のＮ−１（第２〜第Ｎ−１パスにする）パスの送受信共通減衰モジュールの減衰量を最大値にするとともに、他のＮ−１パスの発射機の送受信フロントエンド処理モジュール内部の発射ゲイン調整モジュール内部減衰量を最大値にし、続いてステップＳ８０２を実行するステップＳ８０１と、
受信機（上記信号受信機器に対応する）の他のＮ−１パス（すなわち、第２〜第Ｎ−１パス）の送受信フロントエンド処理モジュール内部の受信ゲイン調整モジュール減衰量を最大値にし、続いてステップＳ８０３に移行するステップＳ８０２と、
発射機は、発射機の１パスのアンテナを介して信号を発射し、続いてステップＳ８０４を実行するステップＳ８０３と、
受信機は、１パス（すなわち、第１パス）のアンテナを介して信号を受信し、位相値を記録して記憶し、続いてステップＳ８０５を実行するステップＳ８０４と、
受信機の１パスの送受信フロントエンド処理モジュール内部の受信ゲイン調整モジュール減衰量を最大値にし、続いてステップＳ８０６を実行するステップＳ８０５と、
受信機の２パス（すなわち、上記１パス以外の別のパスで、第２パスに仮定する）の送受信フロントエンド処理モジュール内部の受信ゲイン調整モジュールの減衰量を０にし、続いてステップＳ８０７を実行するステップＳ８０６と、
受信機は、２パス（すなわち、第２パス）のアンテナを介して信号を受信し、位相値を記録して記憶し、続いてステップＳ８０８を実行するステップＳ８０７と、
すべての受信機の受信した信号の位相値を記録するまで、他の受信チャネルに対して上記ステップＳ８０５〜ステップＳ８０７における操作を順次実行するステップＳ８０８と、
１パスと他のＮ−１パスの受信チャネルの位相差をそれぞれ算出し、位相差を送受信共通の移相器内部に補償するステップＳ８０９と、を含む。
【００５０】
なお、アンテナの配列模式図は図９に示すとおりである。
【００５１】
（実施例３）
本実施例は、主に、発射チャネルの補正方法について説明する。
【００５２】
本実施例では、実施例１に記載の送受信機に適用できる発射チャネルの補正方法が提供され、図１０は本開示の実施例による送信チャネルの補正方法のフローチャートであり、図１０に示すように、
１つの信号送受信機器における信号受信機器の減衰量を０にし、残りの信号送受信機器における信号受信機器の減衰量をサポート可能な最大値にするステップＳ１００２と、
各信号受信機器における信号発射機器による信号発射をそれぞれ制御し、かつ、１つの信号送受信機器における信号受信機器による信号受信を制御することにより、１つの信号送受信機器における信号受信機器のそれぞれ受信した信号の位相値を取得するステップＳ１００４と、
１つの信号送受信機器における信号受信機器が１回受信する信号の位相値と他の回受信する信号の位相値との位相差を特定し、特定した位相差を各信号送受信機器に対応する送受信共通移相モジュールに対応して補償するステップＳ１００６と、を含む。
【００５３】
ただし、上記ステップは送受信機内で実現されるものとしてもよい。
【００５４】
上記ステップにより、送受信機における信号送受信機器の減衰量を制御することで、各発射機器の受信した信号の位相値及び各信号発射機器と他の信号発射機器の受信した信号の位相値の位相差をそれぞれ取得することができ、これにより、発射機器の位相を補償し、さらに、発射チャネルの補正を実現する。本実施例における方法を用いれば、フィードバックチャネルを追加して補正する必要がなくなり、すなわち、従来の複雑な補正構造を用いる必要がなくなり、ＰＡ部分リンクの複雑さを効果的に低減し、補正機器に占用されるＰＣＢの面積を下げ、これにより、従来技術に存在する、チャネル補正部分リンクが複雑で、占用する面積が大きいという問題を解決する。
【００５５】
好ましい実施例では、各信号受信機器における信号発射機器による信号発射をそれぞれ制御し、かつ、１つの信号送受信機器における信号受信機器による信号受信を制御することにより、１つの信号送受信機器における信号受信機器のそれぞれ受信した信号の位相値を取得することは、１つの信号送受信機器における信号発射機器のフロントエンド処理モジュールの減衰量を０にして信号を発射することと、１つの信号送受信機器における信号受信機器がそれぞれ受信したすべての信号の位相値を取得するまで、１つの信号送受信機器における信号受信機器による信号受信を制御し、受信した信号の位相値を記録することと、１つの信号送受信機器における信号発射機器のフロントエンド処理モジュールの減衰量をサポート可能な最大値にし、１つの信号送受信機器以外の別の１つの信号送受信機器における信号発射機器のフロントエンド処理モジュールの減衰量を０にして信号を発射し、１つの信号送受信機器における信号受信機器による信号受信を制御し、受信した信号の位相値を記録するステップを繰り返して実行することと、を含む。
【００５６】
以下、１つの実施例を用いて、受信チャネルの補正フロー全体について説明する。
【００５７】
本開示の実施例による発射チャネルの多重位相同期補正フローは、図１１に示すように、
受信機（上記信号受信機器に対応する）の１パス（第１パスにする）のゲインを最大値にし、他のＮ−１パス（第２〜第Ｎ−１パスにする）の送受信共通減衰モジュールの減衰量を最大値にするとともに、他のＮ−１パスの受信機の送受信フロントエンド処理モジュール内部の受信ゲイン調整モジュール内部の減衰量を最大値にし、続いてステップＳ１１０２を実行するステップＳ１１０１と、
発射機（上記信号送信機器に対応する）の他のＮ−１パス（すなわち、第２〜第Ｎ−１パス）の送受信フロントエンド処理モジュール内部の発射ゲイン調整モジュール減衰量を最大値にし、続いてステップＳ１１０３に移行するステップＳ１１０２と、
発射機は、発射機の１パスのアンテナを介して信号を発射し、続いてステップＳ１１０４を実行するステップＳ１１０３と、
受信機は、１パスのアンテナを介して信号を受信し、位相値を記録して記憶し、続いてステップＳ１１０５を実行するステップＳ１１０４と、
発射機の１パスの送受信フロントエンド処理モジュール内部の発射ゲイン調整モジュールの減衰量を最大値にし、続いてステップＳ１１０６を実行するステップＳ１１０５と、
発射機の２パス（すなわち、上記１パス以外の別のパスであり、第２パスに仮定する）の送受信フロントエンド処理モジュール内部の発射ゲイン調整モジュールの減衰量を０にし、続いてステップＳ１１０７を実行するステップＳ１１０６と、
発射機は２パスのアンテナを介して信号を発射し、受信機は、１パスのアンテナを介して信号を受信し、位相値を記録して記憶し、続いてステップＳ１１０８を実行するステップＳ１１０７と、
受信機の受信したすべての信号の位相値を記録するまで、他の発射チャネルに対して、ステップＳ１１０５〜ステップＳ１１０７における操作を順次実行するステップＳ１１０８と、
１パスと他のＮ−１パスの発射チャネルの位相差を算出し、位相差を送受信共通の移相器内部に補償するステップＳ１１０９と、を含む。
【００５８】
なお、上記送受信の位相補償値は、移相器において時分割で切り替えられる。
【００５９】
（実施例４）
本実施例は、主に、ミリ波信号である信号を例として、実施例１に記載の送受信機の信号発射及び信号受信の処理フローについて説明する。
【００６０】
図１２は、本開示の実施例による信号発射フローであり、この場合、送受信選択スイッチはいずれも発射状態にあり、信号発射フローは、
中間周波数信号については、送信中間周波数処理、フィルタリング及び周波数変換モジュールを介して、中間周波数信号をミリ波信号に変換し、かつ、中間周波数が持つスプリアス、特に鏡像信号を部分的にフィルタリングするステップＳ１２０１と、
ミリ波信号については、送受信共通のフィルタモジュールを介して、中間周波数が持つスプリアス信号をフィルタリングし、希望信号のみを保つステップＳ１２０２と、
ミリ波信号については、電力分配器モジュールを介して、ミリ波信号をＮパスに分配するステップＳ１２０３と、
移相器モジュールは、電力分割後の各信号に対して、ビームフォーミングの要件に基づいて、位相及び振幅調整を適切に行うステップＳ１２０４と、
発射フロントエンドモジュールは、振幅位相調整後の信号に対して、最後の大電力増幅を行い、続いてアンテナを介して発射し、Ｎ個のアンテナの発射した信号を空中で１つのビームに合成するステップＳ１２０５と、を含む。
【００６１】
図１３は、本開示の実施例による信号受信フローであり、この場合、送受信選択スイッチはいずれも受信状態にあり、
各アンテナは空中の合成ビーム信号を受信するステップＳ１３０１と、
ビームフォーミングの振幅及び位相の要件に基づいて、各アンテナの受信した信号に対して、対応する振幅及び位相調整を行うステップＳ１３０２と、
振幅変調及び位相変調を経た後の信号を、合波器を介して、１つのミリ波信号に合成するステップＳ１３０３と、
ミリ波信号に対してフィルタリングを行い、アンテナの受信した他の周波数帯域の干渉信号をフィルタリングするステップＳ１３０４と、
フィルタリング処理後のミリ波信号に対して、周波数変換及びゲイン処理を行った後に、中間周波数信号に変換するステップＳ１３０５と、を含む。
【００６２】
以下、具体的な実施例を用いて、本開示における信号の送受信及びチャネル補正について説明する。
【００６３】
具体的な実施例１
図１４は、本開示の具体的な実施例による４＊４アレイ単一偏波の実現態様の模式図であり、各アンテナユニットは１つの給電ポートを有し、各アンテナユニットは１つの送受信チャネルに対応する。
【００６４】
その発射（送信と呼ばれてもよく、本開示では、発射と送信は、意味が同じである）信号処理フロー（この場合、すべてのスイッチはいずれも発射状態にある）は、図１５に示すように、
ベースバンド信号は、ＩＦＦＴ処理及びＰ／Ｓコーディング処理を経た後、ＲＦＤＡＣに進入するステップＳ１５０１と、
ＲＦＤＡＣは、ベースバンドデジタル信号を、デジタルからアナログへの信号処理を行った後、３．６ＧＨｚ周波数帯域を中心周波数点とする中間周波数信号に変換するステップＳ１５０２と、
３．６Ｇｈｚ周波数点の中間周波数信号に対して、フィルタリング及び増幅を行った後、１０ＧＨｚ周波数帯域に変換するように周波数変換処理を行うステップＳ１５０３と、
１０ＧＨｚ周波数帯域の信号に対して、フィルタリング及び増幅を行うステップＳ１５０４と、
１０ＧＨｚ周波数帯域に対して、周波数変換を行った後、２８Ｇミリ波周波数帯域の信号に変換するステップＳ１５０５と、
ミリ波周波数帯域の信号を増幅した後、１６パスに分配するステップＳ１５０６と、
電力分割後の各信号に対して、ビームフォーミングの要件に基づいて、振幅変調と位相変調処理を適切に行うステップＳ１５０７と、
１６パスの振幅変調と位相変調処理後の信号を、アンテナ発射空中でアグリゲートした単一のビームを形成して発射するステップＳ１５０８と、を含む。
【００６５】
受信信号処理フロー（この場合、すべてのスイッチはいずれも受信状態にある）は、図１６に示すように、
各アンテナは空中の受信信号を受信するステップＳ１６０１と、
各アンテナの受信した信号を、ビームフォーミング要件と組み合わせて、振幅変調と位相変調処理を適切に行うステップＳ１６０２と、
振幅変調と位相変調処理後の信号に対して合波処理を行うステップＳ１６０３と、
１６パスを１つにした後のミリ波信号を増幅した後、１０ＧＨｚ周波数帯域の信号にダウンコンバートするステップＳ１６０４と、
１０ＧＨｚ周波数帯域の信号に対してフィルタリング及び増幅を行うステップＳ１６０５と、
１０ＧＨｚ周波数帯域の信号に対してダウンコンパート処理を行って、３．６ＧＨｚ周波数帯域に変換するステップＳ１６０６と、
３．６ＧＨｚ周波数帯域の信号に対してフィルタリング及び増幅処理を行うステップＳ１６０７と、
ＲＦＡＤＣはアナログデジタル変換処理により３．６ＧＨｚ周波数帯域の信号をデジタル信号に変換するステップＳ１６０８と、
デジタル信号は、Ｐ／Ｓコーティング及びＩＦＦＴ処理を行った後、ベースバンドでデジタル合成を行って単一ビームの信号になるステップＳ１６０９と、を含む。
【００６６】
図１７は、本開示の具体的な実施例による発射補正フローであり、発射補正フローは、
受信機の１パスのゲインを最大値にし、他の１５パスの送受信共通減衰モジュールの減衰量を最大値にするとともに、他の１５パスの受信機の送受信フロントエンド処理モジュール内部の受信ゲイン調整モジュール内部減衰量を最大値にし、続いてステップＳ１７０２を実行するステップＳ１７０１と、
発射機の他の１５パスの送受信フロントエンド処理モジュール内部の発射ゲイン調整モジュール減衰量を最大値にし、続いてステップＳ１７０３に移行するステップＳ１７０２と、
発射機は、発射機の１パスのアンテナを介して信号を発射し、続いてステップＳ１７０４を実行するステップＳ１７０３と、
受信機は、１パスのアンテナを介して信号を受信し、位相値を記録して記憶し、続いてステップＳ１７０５を実行するステップＳ１７０４と、
発射機の１パスの送受信フロントエンド処理モジュール内部の発射ゲイン調整モジュールの減衰量を最大値にし、続いてステップＳ１７０６を実行するステップＳ１７０５と、
発射機の２パスの送受信フロントエンド処理モジュール内部の発射ゲイン調整モジュールの減衰量を０にし、続いてステップＳ１７０７を実行するステップＳ１７０６と、
発射機は２パスのアンテナを介して信号を発射し、受信機は、１パスのアンテナを介して信号を受信し、位相値を記録して記憶し、続いてステップＳ１７０８を実行するステップＳ１７０７と、
他の１５パスの発射チャネルは、ステップＳ１７０５〜ステップＳ１７０７における操作を順次実行するステップＳ１７０８と、
１パスと他の１５パスの発射チャネルの位相差をそれぞれ算出し、位相差を送受信共通の移相器内部に補償するステップＳ１７０９と、を含む。
【００６７】
図１８は、本開示の具体的な実施例による受信補正フローであり、受信補正フローは、
発射機の１パスのゲインを最大値にし、他の１５パスの送受信共通減衰モジュールの減衰量を最大値にするとともに、他の１５パスの発射機の送受信フロントエンド処理モジュール内部の発射ゲイン調整モジュール内部減衰量を最大値にし、続いてステップＳ１８０２を実行するステップＳ１８０１と、
受信機の他の１５パスの送受信フロントエンド処理モジュール内部の受信ゲイン調整モジュール減衰量を最大値にし、続いてステップＳ１８０３に移行するステップＳ１８０２と、
発射機は、発射機の１パスのアンテナを介して信号を発射し、続いてステップＳ１８０４を実行するステップＳ１８０３と、
受信機は、１パスのアンテナを介して信号を受信し、位相値を記録して記憶し、続いてステップＳ１８０５を実行するステップＳ１８０４と、
受信機の１パスの送受信フロントエンド処理モジュール内部の受信ゲイン調整モジュール減衰量を最大値にし、続いてステップＳ１８０６を実行するステップＳ１８０５と、
受信機の２パスの送受信フロントエンド処理モジュール内部の受信ゲイン調整モジュールの減衰量を０にし、続いてステップＳ１８０７を実行するステップＳ１８０６と、
受信機は、２パスのアンテナを介して信号を受信し、位相値を記録して記憶し、続いてステップＳ１８０８を実行するステップＳ１８０７と、
他の受信チャネルに対して、ステップＳ１８０５〜ステップＳ１８０７におけるフローを順次実行するステップＳ１８０８と、
１パスと他の１５パスの受信チャネルの位相差をそれぞれ算出し、位相差を送受信共通の移相器内部に補償するステップＳ１８０９と、を含む。
【００６８】
具体的な実施例２
図１９は、本開示の具体的な実施例による別の具体的な適用実例で、４＊４アレイ二重偏波の実現態様である。アンテナは、２つの給電ポートを有する二重偏波アンテナであるため、アナログリンクのチャネル数を１倍増加させる必要があり、単一偏波の態様に比べ、補正フローは、実施例１より一部のフローが増える。図２０は、当該態様の発射補正フローであり、発射補正フローは、
信号を発射又は受信しない水平偏波アレイに対応するアナログリンクの電源を切るステップＳ２００１と、
前記具体的な実施例１における位相補正フローに従って、垂直偏波アレイに対応する受信及び発射のアナログリンクに対して位相同期補正を行うステップＳ２００２と、
水平偏波アレイに対応するアナログリンクをオンにし、それを正常に給電させるステップＳ２００３と、
発射又は受信しない垂直偏波アレイに対応するアナログリンクの電源を切るステップＳ２００４と、
具体的な実施例１における位相補正フローに従って、水平偏波アレイに対応する受信及び発射のアナログリンクに対して位相同期補正を行うステップＳ２００５と、を含む。
【００６９】
具体的な実施例３
図２１は、４＊８アレイの二重偏波ビームフォーミングの別の適用実施例の回路図であり、当該実施例は、単一のユーザをサポートしてもよいし、複数のユーザをサポートしてもよく、当該実施例は２つのデジタル発射チャネル及び２つのデジタル受信チャネルを有する。ここで、各デジタル発射及び受信チャネルは１つのビームを形成でき、当該実施例は２つのユーザをサポートし、２つのデジタル受信及び発射チャネルは、ジョイントビームフォーミングを行い、１つのビームを形成することができ、当該実施例は単一のユーザをサポートする。
【００７０】
ここで、ＴＸ１とＴＸ３はジョイントビームフォーミングして１つの偏波方向ビームを形成し、ＴＸ２とＴＸ４はジョイントビームフォーミングして別の偏波方向ビームを形成し、単一のユーザをサポートする場合、補正フローは、当該発明による補正フローを実行する以外、一部のフローを追加する必要があり、追加される補正フローはＴＸ１とＴＸ３との間の位相補正、及びＴＸ２とＴＸ４との間の位相補正を実現するために用いられ、ここで説明するＴＸ１とＴＸ３の補正フローは、図２２に示すように、
補正フローに従って、ＴＸ１、ＴＸ３アナログリンクの位相誤差を順次補正及び補償するステップＳ２２０１と、
ＴＸ１の電力分配後の１６パスにおける１５パスの送受信共通減衰モジュールを最大減衰量にするステップＳ２２０２と、
ＴＸ３の電力分配後の１６パスにおける１５パスの送受信共通減衰モジュールを最大減衰量にするステップＳ２２０３と、
ＴＸ１は信号を発射してから、ＲＸ１は信号を受信して位相値を記録するステップＳ２２０４と、
ＴＸ３は信号を発射してから、ＲＸ１は信号を受信して位相値を記録するステップＳ２２０５と、
ＴＸ１とＴＸ３との間の位相誤差を算出してデジタル部分で補償するステップＳ２２０６と、を含む。
【００７１】
具体的な実施例４
図２３は、４＊４アレイ二重偏波大電力出力の実施例であり、本開示によるミリ波送受信機は、さらに、大電力の出力をサポートでき、ミリ波は、現在の工程能力で大電力のＰＡを出力するには、窒化ガリウムプロセスを用いて実現する必要があり、フロントエンドの移相器及び低雑音増幅器のプロセスと異なるため、大電力の出力を実現するために、当該送受信機のミリ波入出力ポートで１つのスイッチ、ＰＡ及びマイクロ波サーキュレータをカスケード接続して実現してもよい。
【００７２】
当該実施例は、実施例１に比べて、信号発射フローが部分的に変更され、その信号発射フローは図２４に示すとおりであり、この場合、すべてのスイッチはいずれも発射状態にあり、以下にステップＳ２４０１〜Ｓ２４０８を詳細に説明する。
【００７３】
ステップＳ２４０１において、ベースバンド信号は、ＩＦＦＴ処理及びＰ／Ｓコーディング処理を経た後、ＲＦＤＡＣに進入し、
ステップＳ２４０２において、ＲＦＤＡＣは、ベースバンドデジタル信号を、デジタルからアナログへの信号処理を行った後、３．６ＧＨｚ周波数帯域を中心周波数点とする中間周波数信号に変換し、
ステップＳ２４０３において、３．６Ｇｈｚ周波数点の中間周波数信号に対して、フィルタリング及び増幅を行った後、１０ＧＨｚ周波数帯域に変換し、
ステップＳ２４０４において、１０ＧＨｚ周波数帯域の信号に対して、フィルタリング及び増幅を行い、
ステップＳ２４０５において、１０ＧＨｚ周波数帯域の信号を、周波数変換により、ミリ波周波数帯域信号に変換し、
ステップＳ２４０６において、ミリ波周波数帯域の信号を増幅した後、１６パスに分配し、
ステップＳ２４０７において、電力分割後の各信号に対して、ビームフォーミングの要件に基づいて、振幅変調と位相変調処理を適切に行い、
ステップＳ２４０８において、各パスの信号をＰＡにより増幅した後、アンテナでアグリゲートビームを形成して発射する。
【００７４】
（実施例５）
以上の実施形態の説明により、当業者であれば、上記実施例による方法は、ソフトウェアに必要なハードウェアプラットフォームを加える方式によって実現してもよく、もちろん、ハードウェアによって実現してもよいが、前者がより好ましい実施形態である場合が多いことを明らかに理解できる。このように理解に基づいて、本開示の技術的解決手段は、本質上に、又は従来技術に寄与する部分が、ソフトウェア製品の形式で具現化でき、当該コンピュータソフトウェア製品は１つの記憶媒体（例えば、ＲＯＭ／ＲＡＭ、磁気ディスク、光ディスク）内に記憶され、１台の端末機器（携帯電話、コンピュータ、サーバ又はネットワーク機器などであってもよい）に本開示の各実施例に記載の方法を実行させるための複数のコマンドを含む。
【００７５】
本実施例では、受信チャネルの補正装置及び送信チャネルの補正装置がさらに提供され、当該装置は、上記実施例及び好ましい実施形態を実現するために用いられ、すでに説明したものについて、重複する説明は省略する。以下使用する「モジュール」の用語は、予定機能を実現できるソフトウェア及び／又はハードウェアの組み合わせである。以下の実施例に説明される装置は、ソフトウェアで実現することが好ましいが、ハードウェア、又はソフトウェアとハードウェアとの組み合わせの実現も可能で、考えられるものである。
【００７６】
図２５は本開示の実施例による受信チャネルの補正装置の構造ブロック図であり、当該装置は、上述したいずれかの実施例に記載の送受信機に適用でき、図２５に示すように、当該装置は、
１つの信号送受信機器における信号発射機器の減衰量を０にし、残りの信号送受信機器における信号発射機器の減衰量をサポート可能な最大値にするように構成される第１設置モジュール２５２と、上記第１設置モジュール２５２に設置され、１つの信号送受信機器における信号発射機器による信号発射を制御し、かつ、各信号送受信機器における信号受信機器による信号受信をそれぞれ制御することにより、各信号送受信機器における信号受信機器の受信した信号の位相値を取得するように構成される第１取得モジュール２５４と、上記第１取得モジュール２５４に接続され、各信号受信機器の受信した信号の位相値と他の信号受信機器の受信した信号の位相値との位相差をそれぞれ特定し、位相差を各信号送受信機器に対応する送受信共通移相モジュールにそれぞれ補償するように構成される第１処理モジュール２５６と、を含む。
【００７７】
好ましい実施例では、上記第１取得モジュール２５４は、具体的に、１つの信号送受信機器における信号発射機器による信号発射を制御し、すべての信号送受信機器における信号受信機器の受信した信号の位相値を取得するまで、１つの信号送受信機器における信号受信機器のフロントエンド処理モジュールの減衰量を０にして信号を受信し、受信した信号の位相値を記録することと、１つの信号送受信機器における信号受信機器のフロントエンド処理モジュールの減水量をサポート可能な最大値にし、この１つの信号送受信機器以外の別の１つの信号送受信機器における信号受信機器のフロントエンド処理モジュールの減衰量を０にして信号を受信し、受信した信号の位相値を記録するステップを繰り返して実行するように構成される。
【００７８】
図２６は本開示の実施例による送信チャネルの補正装置の構造ブロック図であり、当該装置は、上述したいずれかの実施例に記載の送受信機に適用でき、図２６に示すように、当該装置は、
１つの信号送受信機器における信号受信機器の減衰量を０にし、残りの信号送受信機器における信号受信機器の減衰量をサポート可能な最大値にするように構成される第２設置モジュール２６２と、上記第２設置モジュール２６２に接続され、各信号受信機器における信号発射機器による信号発射をそれぞれ制御し、かつ、１つの信号送受信機器における信号受信機器による信号受信を制御することにより、１つの信号送受信機器における信号受信機器のそれぞれ受信した信号の位相値を取得するように構成される第２取得モジュール２６４と、上記第２取得モジュール２６４に接続され、１つの信号送受信機器における信号受信機器が１回受信する信号の位相値と他の回受信する信号の位相値との位相差をそれぞれ特定し、特定した位相差を各信号送受信機器に対応する送受信共通移相モジュールに対応して補償するように構成される第２処理モジュール２６６と、を含む。
【００７９】
好ましい実施例では、上記第２取得モジュール２６４は、具体的に、１つの信号送受信機器における信号発射機器のフロントエンド処理モジュールの減衰量を０にして信号を発射し、１つの信号送受信機器における信号受信機器がそれぞれ受信したすべての信号の位相値を取得するまで、１つの信号送受信機器における信号受信機器による信号受信を制御し、受信した信号の位相値を記録することと、１つの信号送受信機器における信号発射機器のフロントエンド処理モジュールの減衰量をサポート可能な最大値にし、１つの信号送受信機器以外の別の１つの信号送受信機器における信号発射機器のフロントエンド処理モジュールの減衰量を０にして信号を発射し、１つの信号送受信機器における信号受信機器による信号受信を制御し、受信した信号の位相値を記録するステップを繰り返して実行するように構成される。
【００８０】
なお、上記各モジュールは、ソフトウェア又はハードウェアによって実現でき、後者については、上記モジュールがいずれも同一のプロセッサ内に位置する方式、又は、上記各モジュールが任意の組み合わせの形式で異なるプロセッサ内にそれぞれ位置する方式によって実現できるが、これらに限定されるものではない。
【００８１】
（実施例６）
本開示の実施例では、信号送受信システムが提供され、上記アンテナと、アンテナに接続される、１つ又は複数の上記いずれかの実施例に記載の送受信機とを含む。
【００８２】
好ましい実施例では、上記信号送受信システムは、１つ又は複数の送受信機に接続されるベースバンド処理モジュールをさらに含む。
【００８３】
（実施例７）
本開示の実施例では、記憶媒体がさらに提供され、当該記憶媒体は記憶されるプログラムを含み、当該プログラムは、実行されると上記いずれかの実施例に記載の方法を実行する。
【００８４】
好ましくは、本実施例では、上記記憶媒体は、ＵＳＢハードディスク、リードオンリーメモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、ポータブルハードディスク、磁気ディスク又は光ディスクなど、プログラムコードを記憶できる媒体を含んでもよいが、これらに限定されるものではない。
【００８５】
（実施例８）
本開示の実施例では、電子装置がさらに提供され、メモリと、プロセッサと、メモリに記憶され、上記プロセッサで実行できるコンピュータプログラムとを含み、当該プロセッサは、コンピュータプログラムにより、上記いずれかの実施例に記載の方法を実行する。
【００８６】
上記実施例により、以下の有益な効果を果たすことができる。
【００８７】
本開示における実施例は、主に、５Ｇ高周波数基地局システムに適用され、基地局のリンク態様を簡略化し、基地局の面積を小さくし、大規模なアンテナアレイを実現することができ、本開示の実施例は、さらに、提供される５Ｇ高周波数基地局システムの補正方法を含み、当該補正態様は、ハードウェアリンクと組み合わせて実現され、フィードバック補正ハードウェアチャネルを追加する必要がない。
【００８８】
本開示の実施例によるミリ波送受信機は、さらに、位相同期の補正方法に関し、他のハードウェアチャネルを追加する必要がなく、本開示の実施例による送受信共通の減衰モジュールと組み合わせて複数のチャネル同士の位相補正を実現することで、複数のチャネルの位相補正のハードウェア複雑さを低減し、かつ、ＰＣＢ面積を節約することができ、従来の補正方法は、アンテナポートでハードウェアカップリングフィードバックチャネルを追加して補正する必要がある。
【００８９】
本開示の実施例によるｍｍＷ送受信機のハードウェアリンクは、２段周波数変換態様を用い、従来の１段周波数変換態様に比べて、フィルタによる鏡像に対する鏡像除去の圧力を低減し、１つの中間周波数及び１つのｍｍＷフィルタを用いて実現することができ、多段フィルタのカスケードを用いて実現する必要がなく、したがって、システムＥＶＭの性能を向上させる。
【００９０】
本開示の実施例によるｍｍＷ送受信機のハードウェアリンクは、それぞれに送受信共通の移相器モジュールを用い、移相器は、パッシブ相互性構造を用い、送受信共通の移相器と従来の送受信を別々にする移相器と比べ、移相器間の振幅及び位相の誤差による補正パラメータの変化を減少でき、すなわち、本開示の送受信移相器間の誤差補正パラメータが共通であり、また、移相器の数を減少させてＰＣＢ面積を節約する。
【００９１】
明らかに、当業者であれば理解できるように、上記本開示の各モジュール又は各ステップは、汎用のコンピューティング装置を用いて実現することができ、単一のコンピューティング装置上に集積するか、又は、複数のコンピューティング装置からなるネットワーク上に分散するものとしてもよく、好ましくは、コンピューティング装置の実行可能なプログラムコードを用いて実現することができ、これにより、記憶装置内に記憶されてコンピューティング装置によって実行することができ、また、ある場合で、ここと異なる順序で、示されたり、説明されたりするステップを実行し、又は、各集積回路モジュールとしてそれぞれ作製され、又はそのうち複数のモジュール若しくはステップを単一の集積回路モジュールとして作製して実現することができる。このように、本開示は、任意の特定のハードウェアとソフトウェアの組み合わせに限定されるものではない。
【００９２】
以上は、本開示の好ましい実施例に過ぎず、本開示を限定するものではなく、当業者であれば、本開示を補正及び変更することができる本開示の原則を逸脱せず行われる任意の補正、同等の置換、改良などは、いずれも本開示の保護範囲内に含まれる。
【産業上の利用可能性】
【００９３】
上記のように、本発明の実施例による送受信機、受信チャネル、送信チャネルの補正方法及び装置、信号送受信システム、記憶媒体並びに電子装置は、以下の有益な効果を有する。送受信機において送受信共通減衰モジュール及び送受信共通移相モジュールが追加され、また、信号を補正する際、フィードバックチャネルを追加して補正する必要がなくなり、すなわち、従来の複雑な補正構造を用いる必要がなくなり、追加された送受信共通減衰モジュール及び送受信共通移相モジュールを用いれば実現でき、ＰＡ部分リンクの複雑さを効果的に低減し、補正機器に占用されるＰＣＢの面積を下げ、これにより、従来におけるチャネル補正部分リンクが複雑で、占用する面積が大きいという課題を解決する。
【図１ａ】
2021519017.tif 000003
【図１ｂ】
2021519017.tif 000004
【図２】
2021519017.tif 000005
【図３】
2021519017.tif 000006
【図４】
2021519017.tif 000007
【図５】
2021519017.tif 000008
【図６】
2021519017.tif 000009
【図７】
2021519017.tif 000010
【図８】
2021519017.tif 000011
【図９】
2021519017.tif 000012
【図１０】
2021519017.tif 000013
【図１１】
2021519017.tif 000014
【図１２】
2021519017.tif 000015
【図１３】
2021519017.tif 000016
【図１４】
2021519017.tif 000017
【図１５】
2021519017.tif 000018
【図１６】
2021519017.tif 000019
【図１７】
2021519017.tif 000020
【図１８】
2021519017.tif 000021
【図１９】
2021519017.tif 000022
【図２０】
2021519017.tif 000023
【図２１】
2021519017.tif 000024
【図２２】
2021519017.tif 000025
【図２３】
2021519017.tif 000026
【図２４】
2021519017.tif 000027
【図２５】
2021519017.tif 000028
【図２６】
2021519017.tif 000029
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
電力分配モジュールと、それぞれ送受信共通減衰モジュールと、送受信共通移相モジュールと、送受信フロントエンド処理モジュールとを含む２つ以上の信号送受信処理機器と、を含む送受信機において、
前記送受信共通減衰モジュールは前記電力分配モジュールに接続され、受信した、又は送信される信号に対して減衰処理を行うために用いられ、
前記送受信共通移相モジュールは前記送受信共通減衰モジュールに接続され、前記送受信共通移相モジュールは、受信した、又は送信される前記信号の位相を調整するために用いられ、
前記送受信フロントエンド処理モジュールは、一端が前記送受信共通移相モジュールに接続され、他端が前記信号を送受信するためのアンテナに接続されるように構成される、送受信機。
【請求項２】
受信中間周波数処理、フィルタリング及び周波数変換モジュールと、送信中間周波数処理、フィルタリング及び周波数変換モジュールと、局部発振モジュールと、送受信切り替えスイッチと、送受信共通フィルタリングモジュールと、をさらに含み、
前記受信中間周波数処理、フィルタリング及び周波数変換モジュールは、ベースバンド処理モジュールに接続するように構成され、
前記送信中間周波数処理、フィルタリング及び周波数変換モジュールは、前記ベースバンド処理モジュールに接続するように構成され、
前記局部発振モジュールは、前記受信中間周波数処理、フィルタリング及び周波数変換モジュール、及び前記送信中間周波数処理、フィルタリング及び周波数変換モジュールに接続され、
前記送受信切り替えスイッチは、前記受信中間周波数処理、フィルタリング及び周波数変換モジュール、及び前記送信中間周波数処理、フィルタリング及び周波数変換モジュールに接続され、
前記送受信共通フィルタリングモジュールは、一端が前記送受信切り替えスイッチに接続され、他端が前記電力分配モジュールに接続される、請求項１に記載の送受信機。
【請求項３】
前記受信中間周波数処理、フィルタリング及び周波数変換モジュールは、受信中間周波数ゲイン調整モジュールと、受信ダウンコンバーターと、受信フィルタモジュールと、受信復調器と、を含み、
前記受信中間周波数ゲイン調整モジュールは、前記ベースバンド処理モジュールに接続されるように構成され、
前記受信ダウンコンバーターは、前記受信中間周波数ゲイン調整モジュールに接続され、受信した前記信号に対して高中間周波数ＨＩＦから低中間周波数ＬＩＦへの周波数変換を行うために用いられ、
前記受信フィルタモジュールは前記受信ダウンコンバーターに接続され、
前記受信復調器は前記受信フィルタモジュールに接続される、請求項２に記載の送受信機。
【請求項４】
前記送信中間周波数処理、フィルタリング及び周波数変換モジュールは、発射中間周波数ゲイン調整モジュールと、発射復調器モジュールと、発射フィルタモジュールと、発射アップコンバーターと、を含み、
前記発射中間周波数ゲイン調整モジュールは、ベースバンド処理モジュールに接続するように構成され、
前記発射復調モジュールは、前記発射中間周波数ゲイン調整モジュールに接続され、送信される前記信号に対して低中間周波数ＬＩＦから高中間周波数ＨＩＦへの周波数変換を行うために用いられ、
前記発射フィルタモジュールは前記発射復調モジュールに接続され、
前記発射アップコンバーターは前記発射フィルタモジュールに接続される、請求項２に記載の送受信機
【請求項５】
前記送受信共通移相モジュールは、パッシブ構造を用いる、請求項１から請求項４のいずれか１項に記載の送受信機。
【請求項６】
請求項１から請求項５のいずれか１項に記載の送受信機に適用される受信チャネルの補正方法において、
１つの前記信号送受信機器における信号発射機器の減衰量を０にし、残りの信号送受信機器における信号発射機器の減衰量をサポート可能な最大値にするステップと、
１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するステップと、
各信号受信機器が受信する信号の位相値と他の信号受信機器が受信する信号の位相値との位相差をそれぞれ特定し、前記位相差を各信号送受信機器に対応する前記送受信共通移相モジュールにそれぞれ補償するステップと、を含む、受信チャネルの補正方法。
【請求項７】
１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するステップは、
１つの前記信号送受信機器における信号発射機器による信号発射を制御するステップと、
すべての前記信号送受信機器における信号受信機器の受信した信号の位相値を取得するまで、
１つの前記信号送受信機器における信号受信機器のフロントエンド処理モジュールの減衰量を０にして信号を受信し、受信した信号の位相値を記録するステップと、
１つの前記信号送受信機器における信号受信機器のフロントエンド処理モジュールの減衰量をサポート可能な最大値にし、１つの前記信号送受信機器以外の別の１つの信号送受信機器における信号受信機器のフロントエンド処理モジュールの減衰量を０にして信号を受信し、受信した信号の位相値を記録するステップを繰り返して実行するステップと、を含む、請求項６に記載の受信チャネルの補正方法。
【請求項８】
請求項１から請求項５のいずれか１項に記載の送受信機に適用される発射チャネルの補正方法において、
１つの前記信号送受信機器における信号受信機器の減衰量を０にし、残りの信号送受信機器における信号受信機器の減衰量をサポート可能な最大値にするステップと、
各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するステップと、
１つの前記信号送受信機器における信号受信機器が１回受信する信号の位相値と他の回に受信する信号の位相値との位相差をそれぞれ特定し、特定した位相差を各信号送受信機器に対応する前記送受信共通移相モジュールに対応して補償するステップと、を含む、発射チャネルの補正方法。
【請求項９】
各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するステップは、
１つの前記信号送受信機器における信号発射機器のフロントエンド処理モジュールの減衰量を０にして信号を発射するステップと、
１つの前記信号送受信機器における信号受信機器がそれぞれ受信したすべての信号の位相値を取得するまで、
１つの前記信号送受信機器における信号受信機器による信号受信を制御し、受信した信号の位相値を記録するステップと、
１つの前記信号送受信機器における信号発射機器のフロントエンド処理モジュールの減衰量をサポート可能な最大値にし、１つの前記信号送受信機器以外の別の１つの信号送受信機器における信号発射機器のフロントエンド処理モジュールの減衰量を０にして信号を発射し、１つの前記信号送受信機器における信号受信機器による信号受信を制御し、受信した信号の位相値を記録するステップを繰り返して実行するステップと、を含む、請求項８に記載の発射チャネルの補正方法。
【請求項１０】
請求項１から請求項５のいずれか１項に記載の送受信機に適用される受信チャネルの補正装置において、
１つの前記信号送受信機器における信号発射機器の減衰量を０にし、残りの信号送受信機器における信号発射機器の減衰量をサポート可能な最大値にするように構成される第１設置モジュールと、
１つの前記信号送受信機器における信号発射機器による信号発射を制御し、かつ、各前記信号送受信機器における信号受信機器による信号受信をそれぞれ制御することにより、各前記信号送受信機器における信号受信機器が受信する信号の位相値を取得するように構成される第１取得モジュールと、
各信号受信機器が受信する信号の位相値と他の信号受信機器が受信する信号の位相値との位相差をそれぞれ特定し、前記位相差を各信号送受信機器に対応する前記送受信共通移相モジュールにそれぞれ補償するように構成される第１処理モジュールと、を含む、受信チャネルの補正装置。
【請求項１１】
請求項１から請求項５のいずれか１項に記載の送受信機に適用される発射チャネルの補正装置において、
１つの前記信号送受信機器における信号受信機器の減衰量を０にし、残りの信号送受信機器における信号受信機器の減衰量をサポート可能な最大値にするように構成される第２設置モジュールと、
各前記信号送受信機器における信号発射機器による信号発射をそれぞれ制御し、かつ、１つの前記信号送受信機器における信号受信機器による信号受信を制御することにより、１つの前記信号送受信機器における信号受信機器がそれぞれ受信する信号の位相値を取得するように構成される第２取得モジュールと、
１つの前記信号送受信機器における信号受信機器が１回受信する信号の位相値と他の回に受信する信号の位相値との位相差をそれぞれ特定し、特定した位相差を各信号送受信機器に対応する前記送受信共通移相モジュールに対応して補償するように構成される第２処理モジュールと、を含む、発射チャネルの補正装置。
【請求項１２】
信号送受信システムであって、
前記アンテナと、
前記アンテナに接続される、請求項１から請求項５のいずれか１項に記載の１つ又は複数の送受信機と、を含む、信号送受信システム。
【請求項１３】
前記１つ又は複数の送受信機に接続されるベースバンド処理モジュールをさらに含む、請求項１２に記載の信号送受信システム。
【請求項１４】
記憶されるプログラムを含む記憶媒体であって、
前記プログラムは、実行されると請求項６から請求項９のいずれか１項に記載の方法を実行する記憶媒体。
【請求項１５】
メモリと、プロセッサと、前記メモリに記憶され前記プロセッサで実行可能なコンピュータプログラムとを含む電子装置であって、
前記プロセッサは、前記コンピュータプログラムにより、請求項６から請求項９のいずれか１項に記載の方法を実行する電子装置。
【手続補正２】
【補正対象書類名】明細書
【補正対象項目名】００２０
【補正方法】変更
【補正の内容】
【００２０】
（実施例１）
本開示の一実施例による送受信機は、電力分配モジュールと、それぞれ送受信共通減衰モジュールと、送受信共通移相モジュールと、送受信フロントエンド処理モジュールとを含む２つ以上の信号送受信処理機器とを含み、当該送受信共通減衰モジュールは電力分配モジュールに接続され、受信した、又は送信される信号に対して減衰処理を行うために用いられ、当該送受信共通移相モジュールは送受信共通減衰モジュールに接続され、当該送受信共通移相モジュールは、受信した、又は送信される信号の位相を調整するように構成され、当該送受信フロントエンド処理モジュールは、一端が送受信共通移相モジュールに接続され、他端が、信号を送受信するように構成されるアンテナに接続するように構成され、具体的には、図２を参照する。
【国際調査報告】
2021519017.tif 000030
2021519017.tif 000031
2021519017.tif 000032
2021519017.tif 000033